(57)【要約】【課題】本発明はＣＤ−ＲＯＭ装置のコネクタ変換アダプタにおいて、伝送される高速ディジタル信号が劣化することを抑制することを課題とする。【解決手段】プリント基板１１Ａの位置決め用貫通穴１５の個所はスルーホール構造となっている。スルーホール構造の一部を構成する金属膜６１が従来は分離されていた３つのグランドパターン２０、２１，２２とつながっており、スルーホール構造を構成する金属膜６０、６１、６１がグランドパターンに含まれるようになる。これによって、グランド電位が強化されて、高速ディジタル信号の信号がコネクタ変換アダプタ内を伝送される間に劣化される程度が抑制される。【選択図】　　　　図２
2004071431.tif 000002
【特許請求の範囲】
【請求項１】
プリント基板の片面に基準のコネクタが実装され、反対側の面に変換のコネクタが実装されてなり、二つのコネクタの対応する端子がパターンによって電気的に接続されており、且つ、各コネクタのグランド端子がグランドパターンに電気的に接続されている構成のコネクタ変換アダプタにおいて、
上記プリント基板は、上記コネクタの位置決め用突起が嵌合される位置決め用貫通穴がこの貫通穴の内周面及び貫通穴の開口の周囲の部分に金属膜を有するスルーホール構造を有する構造であり、且つ、スルーホール構造を構成する金属膜が上記グランドパターンとつながって形成してある構成としたことを特徴とするコネクタ変換アダプタ。
【請求項２】
プリント基板の片面に基準のコネクタが実装され、反対側の面に変換のコネクタが実装されてなり、二つのコネクタの対応する端子がパターンによって電気的に接続されている構成のコネクタ変換アダプタにおいて、
上記プリント基板は、上記コネクタの位置決め用突起が嵌合される位置決め用貫通穴がこの貫通穴の内周面及び貫通穴の開口の周囲の部分に金属膜を有するスルーホール構造を有する構造であり、且つ、スルーホール構造を構成する金属膜が上記パターンとつながって形成してある構成としたことを特徴とするコネクタ変換アダプタ。
【発明の詳細な説明】
【０００１】
【発明の属する技術分野】
本発明はコネクタ変換アダプタに係り、特にＣＤ−ＲＯＭドライブの背面に取り付けられるコネクタ変換アダプタ関する。
【０００２】
【従来の技術】
図４に示すように、ＣＤ−ＲＯＭドライブ１は、偏平なケース２と、ケース２に対して出入り可能であるＣＤ−ＲＯＭドライブ本体３とよりなり、背面にコネクタ４を備えている。Ｘ１−Ｘ２は幅方向、Ｙ１−Ｙ２は奥行き方向、Ｚ１−Ｚ２は高さ方向である。ＣＤ−ＲＯＭドライブ本体３は、ターンテーブル５と光学ピックアップ６とを有する。ＣＤ−ＲＯＭドライブ１は、通常はコンピュータ装置内に組み込まれて使用される。ＣＤ−ＲＯＭドライブの背面のコネクタ４には、コンピュータ装置の内部の制御用ボードから延びているケーブルの先端のケーブルコネクタが接続される。
【０００３】
コンピュータ装置を製造しているメーカによっては、通常のケーブルコネクタとは異なる型のケーブルコネクタを使用している場合がある。よって、ＣＤ−ＲＯＭドライブの製造メーカでは、納入先が上記のメーカであるＣＤ−ＲＯＭドライブ１については、図４に示すように、通常とは異なる型のケーブルコネクタが接続できるように背面にコネクタ変換アダプタ１０をねじ止めして取り付けた状態で出荷している。
【０００４】
近年、ＣＤ−ＲＯＭドライブとコンピュータ装置との間でのディジタル信号の伝送の速度が高速化しており、コネクタ変換アダプタ１０についても、高速ディジタル信号の劣化が起き難い構成であることが求められている。
【０００５】
図５は、従来のコネクタ変換アダプタ１０を分解して、且つ、コネクタ３０を前面とした姿勢で示す。
【０００６】
コネクタ変換アダプタ１０は、細長いプリント基板１１の片面１１ａに基準のコネクタ３０、反対側の１１ｂに別の型の変換のコネクタ４０が実装してある構造である。プリント基板１１のサイズはＣＤ−ＲＯＭドライブ１の背面のサイズとほぼ同じにしなければならず、大きさは限られている。
【０００７】
基準のコネクタ３０は、ＣＤ−ＲＯＭドライブに設けてある標準のコネクタ４に接続される構成のものであり、表面実装型であり、片側ｎ本（ここではｎ＝２５）が二列に並んだ複数のリード端子３１と、両側に張り出ている固定用リード３２、３３と、背面のうち両側の近くの位置に突き出ている円柱形状の位置決め用突起３４，３５とを有する。コネクタ変換アダプタの種類が変わっても、基準のコネクタ３０は同じである。
【０００８】
プリント基板１１の片方の面１１ａには、コネクタ２０と関連して、フットパターン１２、パターン１３，１４、及び貫通穴１５，１６が形成してある。貫通穴１５，１６はドリル加工によって形成してある。フットパターン１２はリード端子３１と対応するように二列に並んで、パターン１３，１４は固定用リード３２、３３と対応して、貫通穴１５，１６は位置決め用突起３４，３５と対応して配置してある。
【０００９】
変換のコネクタ４０は、上記のコネクタ２０よりも大きいサイズであり、ＣＤ−ＲＯＭドライブが組み込まれるコンピュータ装置の内部の制御用ボードから延びているケーブルの先端のケーブルコネクタが接続されるサイズのものであり、底面からピン端子４１が突き出ている。コネクタ変換アダプタの種類が変わると、変換のコネクタ４０は変わる。
【００１０】
プリント基板３には、このコネクタ４０に関連して、ピン端子４１が貫通するスルーホール１７が形成してある。また、フットパターン１２とスルーホール１７とは一のフットパターン１２と一のスルーホール１７とが対応する関係にあり、一のフットパターン１２と一のスルーホール１７とは、プリント基板１１上のグランドパターン、電源ラインパターン、又は信号ラインパターンによって接続されている。
【００１１】
コネクタ３０は、プリント基板１１の面１１ａに、円柱形状の位置決め用突起３４，３５を貫通穴１５，１６に嵌合されて位置決めされて、リード端子３１をフットパターン１２に半田付けされて、固定用リード３２、３３をパターン１３，１４に半田付けされて表面実装してある。
【００１２】
コネクタ４０は、ピン端子４１をスルーホール１７に嵌合されて半田付けされて、プリント基板１１の面１１ａとは反対側の面１１ｂに実装してある。
【００１３】
図６は、図５中、円１００で示す部分を拡大して示す。同図に示すように、グランドパターン２０、２１，２２、電源ラインパターン２３、及び信号ラインパターン２４が形成してある。２５はグランドパターン以外のパターンである。
【００１４】
コネクタ３０のグランド端子及びコネクタ４０のグランド端子は、グランドパターン２０、２１，２２に電気的に接続されている。コネクタ３０の電源端子とコネクタ４０の電源端子とは電源ラインパターン２３によって電気的に接続されている。コネクタ３０の信号端子及びコネクタ４０の対応する信号端子とは信号ラインパターン２４によって電気的に接続されている。
【００１５】
これらのパターン２０〜２４は、限られた大きさのプリント基板１１の面積から、フットパターン１２、パターン１３，１４、スルーホール１７及び貫通穴１５，１６を合わせた面積を差し引いた限られた狭い面積の部分に形成されることになる。
【００１６】
【発明が解決しようとする課題】
貫通穴１５の周囲の部分についてみると、貫通穴１５を形成するドリル加工の精度及びパターンを形成するエッチングの精度等を考慮して、貫通穴１５の周囲には、パターンを形成することが禁止されるパターン形成禁止区域５０が設定される。このパターン形成禁止区域２００とフットパターン１２−１、１２−（ｎ＋１）との間の隙間５１，５２は狭くて、この隙間５１，５２にパターンを通すことが出来ない。
【００１７】
このため、貫通穴１５の近くに位置しているグランドパターンについては、３つのグランドパターン２０、２１，２２が貫通穴１５の個所で分断されている。よって、各グランドパターン２０、２１，２２の面積を加えた総面積を広くすることが困難であった。
【００１８】
グランドパターン２０、２１，２２の面積を加えた総面積を広くすることが困難であると、グランド電位を強化することが困難となり、結果的に、高速ディジタル信号がコネクタ変換アダプタ１０内を伝送されている間に劣化を起きにくくすることが十分でない虞れがあった。
【００１９】
そこで、本発明は、上記課題を解決したコネクタ変換アダプタを提供することを目的とする。
【００２０】
【課題を解決するための手段】
請求項１の発明は、プリント基板の片面に基準のコネクタが実装され、反対側の面に変換のコネクタが実装されてなり、二つのコネクタの対応する端子がパターンによって電気的に接続されており、且つ、各コネクタのグランド端子がグランドパターンに電気的に接続されている構成のコネクタ変換アダプタにおいて、上記プリント基板は、上記コネクタの位置決め用突起が嵌合される位置決め用貫通穴がこの貫通穴の内周面及び貫通穴の開口の周囲の部分に金属膜を有するスルーホール構造を有する構造であり、且つ、スルーホール構造を構成する金属膜が上記グランドパターンとつながって形成してある構成としたものである。
【００２１】
スルーホール構造を構成する金属膜がグランドパターンとつながっていることによって、グランドパターンの面積が従来に比べて金属膜の分広くなり、面積が増えた分、グランド電位が強化され、その分信号の劣化が抑制される。
【００２２】
請求項２の発明は、プリント基板の片面に基準のコネクタが実装され、反対側の面に変換のコネクタが実装されてなり、二つのコネクタの対応する端子がパターンによって電気的に接続されている構成のコネクタ変換アダプタにおいて、
上記プリント基板は、上記コネクタの位置決め用突起が嵌合される位置決め用貫通穴がこの貫通穴の内周面及び貫通穴の開口の周囲の部分に金属膜を有するスルーホール構造を有する構造であり、且つ、スルーホール構造を構成する金属膜が上記パターンとつながって形成してある構成としたものである。
【００２３】
グランドパターンがスルーホール構造を構成する金属膜とつながっている構成である場合には、グランドパターンの面積が従来に比べて金属膜の分広くなり、面積が増えた分、グランド電位が強化され、その分信号の劣化が抑制される。
【００２４】
電源ラインパターンがスルーホール構造を構成する金属膜とつながっている構成である場合には、電源ラインパターンにその幅が狭くなる部分が存在しなくなって、電源ラインパターンの電流容量が増える。
【００２５】
信号配線パターンがスルーホール構造を構成する金属膜とつながっている構成である場合には、信号配線パターンにその幅が狭くなる部分が存在しなくなって、信号の伝送特性が向上する。
【００２６】
【発明の実施の形態】
図１は本発明の一実施例になるコネクタ変換アダプタ１０Ａを分解して示し、図２は、図１中、円１０１で示す部分を拡大して示す。各図中、図５、図６に示す構成部分と対応する部分には同じ符号を付し、その説明は省略する。
【００２７】
コネクタ変換アダプタ１０Ａは、プリント基板１１Ａの一部を除いて、図４に示すコネクタ変換アダプタ１０と同じ構成であり、細長いプリント基板１１Ａの片面１１Ａａにコネクタ３０、反対側の１１Ａｂに別の型のコネクタ４０が実装してある構造である。
【００２８】
プリント基板１１Ａの位置決め用貫通穴１５の個所は図２及び図３に示すようにスルーホール構造となっており、貫通穴１５の内周面１５ａを覆う金属膜６０、プリント基板１１Ａの面１１Ａａのうち貫通穴１５の開口１５ｂの周囲の部分を覆う金属膜６１、及びプリント基板１１Ａの面１１Ａｂのうち貫通穴１５の開口１５ｃの周囲の部分を覆う金属膜６２を有する。
【００２９】
金属膜６１は、従来は分離されていた３つのグランドパターン２０、２１，２２とつながっている。よって、貫通穴１５の周囲のグランドパターン６５は、従来の分離されていた３つのグランドパターン２０、２１，２２に金属膜６１、６０、６２が加わったものとなり、換言すれば、金属膜６１、６０、６２がグランドパターンに含まれることになって、グランドパターン６５の面積は従来に比べて広くなる。よって、面積が増えた分、グランド電位が強化され、その分高速ディジタル信号の信号がコネクタ変換アダプタ１０Ａ内を伝送される間に劣化される程度が抑制される。
【００３０】
別の位置決め用貫通穴１６の個所も、上記の貫通穴１５と同じくスルーホール構造となっており、グランドパターンの面積が従来に比べて広くなっており、グランド電位が強化されて、高速ディジタル信号の信号がコネクタ変換アダプタ１０Ａ内を伝送される間に劣化される程度が抑制される。
【００３１】
なお、コネクタ３０の位置決め用突起３４，３５は共に絶縁性であるため、スルーホール構造の貫通穴１５、１６に嵌合しても、影響は無い。
【００３２】
なお、貫通穴１５、１６のスルーホール構造の金属膜が、プリント基板１１Ａ上の電源ラインパターンとつながった構成とすることも出来る。この構成においては、電源ラインパターンにその幅が狭くなる部分が存在しなくなって、電源ラインパターンの電流容量が増える。
【００３３】
また、場合によっては、貫通穴１５、１６のスルーホール構造の金属膜が、プリント基板１１Ａ上の信号配線パターンとつながった構成とすることも出来る。この構成においては、信号配線パターンにその幅が狭くなる部分が存在しなくなって、高速ディジタル信号の伝送特性が向上する。
【００３４】
【発明の効果】
上述の如く、本発明によれば、コネクタの位置決め用突起が嵌合される位置決め用貫通穴をスルーホール構造を有する構造とし、且つ、スルーホール構造を構成する金属膜をグランドパターンとつながって形成した構成であるため、グランドパターンの面積が従来に比べて金属膜の分広くなり、面積が増えた分、グランド電位が強化され、その分信号の劣化を抑制することが出来、従来に比べて信号の劣化が抑制されたコネクタ変換アダプタを実現することが出来る。
【図面の簡単な説明】
【図１】本発明の一実施例になるコネクタ変換アダプタを分解して示す斜視図である。
【図２】図１中、円１０１で囲んだ部分のパターンを拡大して示す図である。
【図３】図２中、ＩＩＩ−ＩＩＩ線に沿う断面図である。
【図４】コネクタ変換アダプタが取り付けてあるＣＤ−ＲＯＭドライブを示す図である。
【図５】図４中の従来のコネクタ変換アダプタを分解して示す斜視図である。
【図６】図５中、円１００で囲んだ部分のパターンを拡大して示す図である。
【符号の説明】
１　ＣＤ−ＲＯＭドライブ
２　ケース
３　ＣＤ−ＲＯＭドライブ本体
１０Ａ　コネクタ変換アダプタ
１１Ａ　細長いプリント基板
１２　フットパターン
１３，１４　パターン
１５，１６　貫通穴
２３　電源ラインパターン
２４　信号ラインパターン
３０　基準のコネクタ
４０　変換のコネクタ
６０、６１、６２　金属膜
６５　グランドパターン
【図１】
2004071431.tif 000003
【図２】
2004071431.tif 000004
【図３】
2004071431.tif 000005
【図４】
2004071431.tif 000006
【図５】
2004071431.tif 000007
【図６】
2004071431.tif 000008